(57)【要約】  【課題】表紙体に取り付けられるカバー部と、対をなして設けられ、このカバー部に回動可能に支持される綴じ部材とを具備し、対をなす綴じ部材が、相互に係脱することによりカバー部と共に閉塞状態又は開放状態を形成するリング要素をそれぞれ有する綴じ具において、部品点数及び製造工数を削減する。  【解決手段】カバー部２の一部に、第１綴じ部材３及び第２綴じ部材４を開放状態に向けて付勢する弾性付勢手段たる突片２ｃを設けているとともに、前記第１綴じ部材３及び第２綴じ部材４が、それぞれリング要素３１、４１と、前記カバー部２に回動可能に支持される回動軸部３２、４２と、前記突片２ｃに当接することにより該突片２ｃからの作用を受ける弾性力受部３３、４３とを１本の線状部材により一体に形成したものである綴じ具Ｔを用意する。  【選択図】図６
2005335335.tif 000002
【特許請求の範囲】
【請求項１】
表紙体に取り付けられるカバー部と、対をなして設けられ、このカバー部に回動可能に支持される綴じ部材とを具備し、対をなす綴じ部材が、相互に係脱することによりカバー部と共に閉塞状態又は開放状態を形成するリング要素をそれぞれ有するものであって、
前記カバー部の一部に、前記綴じ部材を閉塞状態又は開放状態のいずれかに向けて付勢する弾性付勢手段を設けているとともに、
前記綴じ部材のそれぞれが、前記リング要素と、前記カバー部に回動可能に支持される回動軸部と、前記弾性付勢手段に当接することにより該弾性付勢手段からの作用を受ける弾性力受部とを１本の線状部材により一体に形成したものであることを特徴とする綴じ具。
【請求項２】
前記カバー部の一部を利用して前記弾性付勢手段を設けていることを特徴とする請求項１記載の綴じ具。
【請求項３】
前記カバー部の弾性付勢手段を、折曲加工により形成していることを特徴とする請求項２記載の綴じ具。
【請求項４】
前記綴じ部材の回動軸部が、前記カバー部の両側縁部においてそれぞれ支持されているとともに、前記弾性力受部が、前記回動軸部よりもカバー部の巾方向中央部寄りに位置し、前記弾性付勢手段から前記回動軸部の中心軸周りに回動する方向への弾性力を受けることを特徴とする請求項１、２又は３記載の綴じ具。
【請求項５】
前記カバー部の前記弾性力受部に対向する位置に、前記開放状態において前記弾性力受部を収納可能な収納部を表紙体から離間する方向に突出させて設けていることを特徴とする請求項４記載の綴じ具。
【請求項６】
前記弾性付勢手段が前記綴じ部材を開放状態に向かう側に付勢するものであって、一方の綴じ部材に設けたリング要素の先端部に係合部を設けるとともに、他方の綴じ部材に設けたリング要素の先端部に前記係合部と係合可能な被係合部を設け、これら係合部と被係合部とを係合して前記カバー部と共に閉塞状態を形成している際に、前記弾性付勢手段からの作用によりこれら係合部と被係合部とが密着する構成を有することを特徴とする請求項１、２、３、４又は５記載の綴じ具。
【請求項７】
対をなす綴じ部材のうちの一方の両端部にリング要素を設け、それぞれのリング要素の先端部に係合部を互いに離反させて設けているとともに、対をなす綴じ部材のうちの他方の両端部にリング要素を設け、それぞれのリング要素の先端部に被係合部を互いに対向させて設けていることを特徴とする請求項６記載の綴じ具。
【請求項８】
表紙体と、この表紙体に取り付けられる綴じ具とを具備し、該綴じ具に、表紙体に取り付けられるカバー部と、対をなして設けられ、このカバー部に回動可能に支持される綴じ部材とを具備し、対をなす綴じ部材が、相互に係脱することによりカバー部と共に閉塞状態又は開放状態を形成するリング要素をそれぞれ有するものであって、
前記カバー部の一部に、前記綴じ部材を閉塞状態又は開放状態のいずれかに向けて付勢する弾性付勢手段を設けているとともに、
前記綴じ部材のそれぞれが、前記リング要素と、前記カバー部に回動可能に支持される回動軸部と、前記弾性付勢手段に当接することにより該弾性付勢手段からの作用を受ける弾性力受部とを１本の線状部材により一体に形成したものであることを特徴とするファイル。
【請求項９】
前記カバー部の一部を利用して前記弾性付勢手段を設けていることを特徴とする請求項８記載のファイル。
【請求項１０】
前記カバー部の弾性付勢手段を、折曲加工により形成していることを特徴とする請求項９記載のファイル。
【請求項１１】
前記綴じ部材の回動軸部が、前記カバー部の両側縁部においてそれぞれ支持されているとともに、前記弾性力受部が、前記回動軸部よりもカバー部の巾方向中央部寄りに位置し、前記弾性付勢手段から前記回動軸部の中心軸周りに回動する方向への弾性力を受けることを特徴とする請求項８、９又は１０記載のファイル。
【請求項１２】
前記カバー部の前記弾性力受部に対向する位置に、前記開放状態において前記弾性力受部を収納可能な収納部を表紙体から離間する方向に突出させて設けていることを特徴とする請求項１１記載のファイル。
【請求項１３】
前記弾性付勢手段が前記綴じ部材を開放状態に向かう側に付勢するものであって、一方の綴じ部材に設けたリング要素の先端部に係合部を設けるとともに、他方の綴じ部材に設けたリング要素の先端部に前記係合部と係合可能な被係合部を設け、これら係合部と被係合部とを係合して前記カバー部と共に閉塞状態を形成している際に、前記弾性付勢手段からの作用によりこれら係合部と被係合部とが密着する構成を有することを特徴とする請求項８、９、１０、１１又は１２記載のファイル。
【請求項１４】
対をなす綴じ部材のうちの一方の両端部にリング要素を設け、それぞれのリング要素の先端部に係合部を互いに離反させて設けているとともに、対をなす綴じ部材のうちの他方の両端部にリング要素を設け、それぞれのリング要素の先端部に被係合部を互いに対向させて設けていることを特徴とする請求項１３記載のファイル。
【発明の詳細な説明】
【技術分野】
【０００１】
本発明は、書類等を綴じるための綴じ具及びその綴じ具が適用されるファイルに関する。
【背景技術】
【０００２】
従来より、書類を綴じるためのファイルやバインダ等に用いられる綴じ具が、種々案出されている。このような綴じ具のうち、いわゆるリング式綴じ具と呼ばれるものは、中央横断面図を図１２に示すように、カバーａ１と、カバーａ１とは別体の部材である第１連結部ａ２及び第２連結部ａ３とからなるベースａと、相互に対をなす第１リング要素ｂ及び第２リング要素ｃとから構成されているのが通例である。このような綴じ具ｔの構成として、例えば、ベースａには、第１リング要素ｂ及び第２リング要素ｃの係り合いを解除する方向にのみ作用力を付与するための開放手段となるコイルバネａ４、板バネ、又は線状バネ等を設け、第１リング要素ｂ及び第２リング要素ｃとに相互に開放状態とする方向のみ作用力を蓄積するように構成したものが考えられている（例えば特許文献１参照）。すなわちコイルバネａ４等の開放手段は、第１連結板ａ２及び第２連結板ａ３を山形の姿勢とし、第１リング要素ｂと第２リング要素ｃとを開放状態とするように力を付与すべく設けられたものである。なお、前記特許文献１では、第１リング要素及び第２リング要素は、それぞれ第１綴じ要素及び第２綴じ要素として記載されている。
【特許文献１】特開２００３−２５１９７３号公報
【発明の開示】
【発明が解決しようとする課題】
【０００３】
しかし、上述した特許文献１の構成では、カバーと別体に前記第１連結部及び第２連結部を用意する必要があり、また、前記第１連結部及び第２連結部をカバーに取り付ける工程、及び前記第１連結板及び第２連結板に第１リング要素及び第２リング要素をそれぞれ溶接やかしめ加工等により固定する工程を必要とする。
【０００４】
前者の問題を解決するための態様としては、カバー部と、１対の綴じ要素を支持する支持板部と、前記カバー部の側縁と前記支持板部との側縁との間に介在する折り曲げ部とを一体の部材によって形成するものが考えられている（例えば、特願２００４−０５１００６明細書を参照）。ところが、このような構成によっても、前記支持板部に第１リング要素及び第２リング要素をそれぞれ溶接やかしめ加工等により固定する工程を必要とする問題は依然として解決されない。
【０００５】
本発明は、上記問題を解決すべく、すなわち部品点数及び製造工数を削減し、製造コストのさらなる削減を図るべく構成するものである。
【課題を解決するための手段】
【０００６】
すなわち、本発明に係る綴じ具は、表紙体に取り付けられるカバー部と、対をなして設けられ、このカバー部に回動可能に支持される綴じ部材とを具備し、対をなす綴じ部材が、相互に係脱することによりカバー部と共に閉塞状態又は開放状態を形成するリング要素をそれぞれ有するものであって、前記カバー部の一部に、前記綴じ部材を閉塞状態又は開放状態のいずれかに向けて付勢する弾性付勢手段を設けているとともに、前記綴じ部材のそれぞれが、前記リング要素と、前記カバー部に回動可能に支持される回動軸部と、前記弾性付勢手段に当接することにより該弾性付勢手段からの作用を受ける弾性力受部とを１本の線状部材により一体に形成したものであることを特徴とする。
【０００７】
また、本発明に係るファイルは、表紙体と、この表紙体に取り付けられる上述した綴じ具とを具備することを特徴とする。
【０００８】
このようなものであれば、１本の線状部材である綴じ部材に前記リング要素と前記回動軸部と前記弾性力受部との全てを一体に形成しているので、前記弾性力受部が前記弾性付勢手段に当接して前記綴じ部材を付勢する弾性力を受けるようにでき、従って、上述した特許文献１における第１連結部及び第２連結部に相当する部材が必要なくなり、部品点数を削減することができる。また、これら第１連結部及び第２連結部にリング要素を固定する工程も必要なくなるので、製造工数をも削減することができ、従って製造コストのさらなる削減を図ることができる。
【０００９】
さらなる部品点数の削減を実現できる態様として、前記カバー部の一部を利用して前記弾性付勢手段を設けているものが挙げられる。このようなものであれば、前記カバー部と前記弾性付勢手段とを同一の部材を利用して構成できるからである。また、このような構成を採用すると、前記特許文献１記載の構成のようにカバー部の長手寸法略一杯に延伸する第１連結部及び第２連結部を有する構成と比較して、前記弾性付勢手段はあくまで前記カバー部の一部を利用して構成しているので、閉塞状態から開放状態へ変化させる操作、又はその逆の操作に必要な操作力を少なくでき、スムーズな操作を実現することができるようになる。
【００１０】
このような弾性付勢手段を簡単な加工で実現できる態様として、前記カバー部の弾性付勢手段を、折曲加工により形成しているものが挙げられる。
【００１１】
前記弾性付勢手段のバネ係数が小さいものであっても前記綴じ部材を効果的に付勢できる態様として、前記綴じ部材の回動軸部が、前記カバー部の両側縁部においてそれぞれ支持されているとともに、前記弾性力受部が、前記回動軸部よりもカバー部の巾方向中央部寄りに位置し、前記弾性付勢手段から前記回動軸部の中心軸周りに回動する方向への弾性力を受けるものが挙げられる。このようなものであれば、前記弾性力受部を前記回動軸部からカバー部の巾方向中央部寄りに偏倚させているので、前記綴じ部材が前記弾性力受部を介して受ける作用のモーメントを大きくできるからである。また、前記弾性力受部の前記回動軸部からの偏倚量を調整して前記綴じ部材が前記弾性力受部を介して受ける力のモーメントを調整することもできる。
【００１２】
さらに、前記開放状態において開放幅を大きくできるようにするための構成として、前記カバー部の前記弾性力受部に対向する位置に、前記開放状態において前記弾性力受部を収納可能な収納部を離間する方向に突出させて設けているものが挙げられる。このようなものであれば、前記弾性力受部を前記収納部に収納させることにより、前記リング要素をさらに外側に移動させることができるようになるからである。
【００１３】
前記綴じ部材を開放状態に変化させる操作を簡単に行えるようにするとともに、前記綴じ部材同士を密着させることができる構成として、前記弾性付勢手段が前記綴じ部材を開放状態に向かう側に付勢するものであって、一方の綴じ部材に設けたリング要素の先端部に係合部を設けるとともに、他方の綴じ部材に設けたリング要素の先端部に前記係合部と係合可能な被係合部を設け、これら係合部と被係合部とを係合して前記カバー部と共に閉塞状態を形成している際に、前記弾性付勢手段からの作用によりこれら係合部と被係合部とが密着する構成を有するものが挙げられる。このようなものであれば、前記係合部と被係合部との係合を解除すれば前記綴じ部材は開放状態に付勢されるからである。
【００１４】
前記綴じ部材を開放状態に変化させる操作をさらに簡単に行えるようにするための構成として、対をなす綴じ部材のうちの一方の両端部にリング要素を設け、それぞれのリング要素の先端部に係合部を互いに離反させて設けているとともに、対をなす綴じ部材のうちの他方の両端部にリング要素を設け、それぞれのリング要素の先端部に被係合部を互いに対向させて設けているものが挙げられる。このようなものであれば、前記一方の綴じ部材の２つのリング要素を互いに相寄る方向に押圧することにより前記係合部と前記被係合部との係合が解除されるからである。
【発明の効果】
【００１５】
カバー部の一部に前記綴じ部材を付勢する弾性付勢手段を設けているとともに、１本の線状部材にリング要素と弾性力受部とを一体に形成しているので、前記弾性力受部が前記弾性付勢手段に当接して前記綴じ部材を付勢する弾性力を受けるようにでき、部品点数及び製造工数を削減することができる。
【発明を実施するための最良の形態】
【００１６】
以下、本発明の一実施形態について図面を参照して説明する。
【００１７】
図１に示すように、この実施形態に係るファイルＦは、綴じ穴を設けた書類等をその内側に綴じ込むことにより、書類等を整理・保管するために使用されるものであって、背表紙１１、表表紙１２及び裏表紙１３を備えた表紙体１と、裏表紙１３の内面にリベットＬを介して装着された綴じ具Ｔとから構成したものである。
【００１８】
この綴じ具Ｔは、図２〜図８に示すように、表紙体１に取り付けられるカバー部２と、書類等に設けた綴じ穴を挿通する第１リング要素３１を有しカバー部２に回動可能に支持される第１綴じ部材３と、前記第１綴じ部材３と対をなして設けられ、書類等に設けた綴じ穴を挿通する第２リング要素４１を有しカバー部２に回動可能に支持される第２綴じ部材４により構成される。そして、前記第１リング要素３１及び第２リング要素４１は、前記カバー部２と閉リングを形成する閉塞状態と、前記第１リング要素３１と第２リング要素４１との間が離間する開放状態との間を変化可能である。前記閉塞状態においては、前記図２に斜視図、前記図３に底面斜視図、前記図４の実線に平面図、前記図５の実線に底面図、前記図６の実線に前記図４における中央横断面図がそれぞれ示されるような形状をとる。一方、前記開放状態においては、前記図４の想像線に平面図、前記図５の想像線に底面図、前記図６の想像線に前記図４における中央横断面図、前記図７に斜視図、前記図８に底面斜視図がそれぞれ示されるような形状をとる。なお、本実施形態では綴じ具Ｔを裏表紙１３に取り付けた態様を示しているが、斯かる綴じ具Ｔは背表紙１１や表表紙１２に取り付けて使用することができるのはいうまでもない。
【００１９】
具体的には、カバー部２は、特に限定されるものではないが例えば薄肉のステンレス材からなり、下方（裏表紙１３側）へ開口した状態で裏表紙１３に取り付けられるものである。このカバー部２の上壁２ｇは、中央部が最大高さとなる湾曲形状をした細長い形状としており、この上壁２ｇの長手方向の両端部は半円弧状で形成されており後述する取付面部２ａの一部を切り欠いた形状としている。そして、前記カバー部２の上壁２ｇの長手方向の両端部は、裏表紙１３に当接して取り付けられる一対の段押しされた取付面部２ａ、２ａを形成し、この取付面部２ａ、２ａの面内略中央部には、前記リベットＬを挿通させるためのリベット穴２ｂ、２ｂを各々１つずつ形成している。また、前記カバー部２の上壁２ｇの両側端部のうち、長手方向中央部には、長手方向に亘って内側方に折り曲げられる一対の突片２ｃ、２ｃを折り曲げ線（図示省略）を境に連続して形成しており、これら突片２ｃ、２ｃを内側方に向けて略水平に折り曲げている。すなわち、前記突片２ｃ、２ｃは、カバー部２の長手寸法の一部にのみ形成している。これら突片２ｃ、２ｃは、後述するように、第１綴じ部材３及び第２綴じ部材４にそれぞれ設けた弾性力受部３３、４３に当接し、弾性力によりこれら弾性力受部３３、４３に上方に向かう方向へ作用を加えて第１綴じ部材３及び第２綴じ部材４を開放状態に向けて付勢する弾性付勢手段として機能する。一方、前記カバー部２の上壁２ｇの両側端部のうち、前記一対の突片２ｃ、２ｃを形成した以外の箇所には、第１綴じ部材３及び第２綴じ部材４にそれぞれ設けた回動軸部３２、４２を支持する軸支持部２ｆ、２ｆをそれぞれ設け、この軸支持部２ｆ、２ｆを介して第１綴じ部材３及び第２綴じ部材４を前記回動軸部３２、４２の中心軸周りに回動可能に支持している。さらに、前記カバー部２の上壁２ｇの一側端部には、第１綴じ部材３を通過させるための一対の第１スロット穴２ｄ、２ｄが所定距離を離間させて形成し、また、一方の側端部には、前記第１スロット穴２ｄ、２ｄに対応付けて第２綴じ部材４を通過させるための一対の第２スロット穴２ｅ、２ｅを形成している。
【００２０】
しかして、第１綴じ部材３は、前記第１リング要素３１と、前記カバー部２に回動可能に支持される回動軸部３２と、前記突片２ｃに当接することにより該突片２ｃからの作用を受ける弾性力受部３３とを１本の線状部材により一体に形成したものである。また、第２綴じ部材４は、前記第２リング要素４１と、前記カバー部２に回動可能に支持される回動軸部４２と、前記突片２ｃに当接することにより該突片２ｃからの作用を受ける弾性力受部４３とを１本の線状部材により一体に形成したものである。
【００２１】
さらに詳述すると、第１綴じ部材３は、１本の線材の両端部に正面視半円弧状をなす前記第１リング要素３１、３１を起立させて形成しているとともに、残りの部分は前記カバー部２の長手方向に沿って延伸している。前記第１リング要素３１、３１の先端部には、鉤状をなす係合部３１１、３１１を互いに離反させて設けている。前記第１リング要素３１に隣接する部分に回動軸部３２、３２を形成し、これら回動軸部３２、３２を前記カバー部２の軸支持部２ｆ、２ｆを介してカバー部２の幅方向一側縁部に支持させている。そして、長手方向中央部には弾性力受部３３を形成している。この弾性力受部３３は、前記回動軸部３２、３２よりもカバー部２の巾方向中央部寄りに位置し、前記突片２ｃから上向きの作用を受け、前記回動軸部３２の中心軸周りに回動する方向へ付勢されている。そして、この第１綴じ部材３のうち前記第１リング要素３１、３１を除く部分、すなわち回動軸部３２、３２及び弾性力受部３３は前記カバー部２の下方、すなわち表紙体１１側に収納している。一方、前記第１リング要素３１、３１は、前記第１スロット穴２ｄ、２ｄを通過して上方に突出している。
【００２２】
一方、第２綴じ部材４は、１本の線材の両端部に正面視逆Ｌ字状をなす前記第２リング要素４１、４１を起立させて形成しているとともに、残りの部分は前記カバー部２の長手方向に沿って延伸している。前記第２リング要素４１、４１の先端部には、鉤状をなし、前記係合部３１１、３１１に係合可能な被係合部４１１、４１１を互いに対向させて設けている。前記第２リング要素４１に隣接する部分に回動軸部４２、４２を形成し、これら回動軸部４２、４２を前記カバー部２の軸支持部２ｆ、２ｆを介してカバー部２の幅方向他側縁部に支持させている。そして、長手方向中央部には弾性力受部４３を形成している。この弾性力受部４３は、前記回動軸部４２、４２よりもカバー部２の巾方向中央部寄りに位置し、前記突片２ｃから上向きの作用を受け、前記回動軸部４２の中心軸周りに回動する方向へ付勢されている。そして、この第２綴じ部材４のうち前記第２リング要素４１、４１を除く部分、すなわち回動軸部４２、４２及び弾性力受部４３は前記カバー部２の下方、すなわち表紙体１１側に収納している。一方、前記第２リング要素４１、４１は、前記第２スロット穴２ｅ、２ｅを通過して上方に突出している。
【００２３】
そして、閉塞状態においては、前記第１綴じ部材３及び前記第２綴じ部材４の弾性力受部３３、４３がそれぞれ上向きの作用を受けているので、第１リング要素３１及び第２リング要素４１はそれぞれ回動軸部３２、４２の中心軸周りに回動して互いに離間しようとする作用を受けている。しかし、それぞれ鉤状をなす係合部３１１と被係合部４１１とが係合しているので、前記作用はこれら係合部３１１と被係合部４１１とを密着させる作用として働く。
【００２４】
一方、開放状態においては、前記突片２ｃと前記弾性力受部３３、４３との間に作用は発生しない。
【００２５】
前記カバー部２の前記弾性力受部３３、４３に対向する位置に、収納部２ｈを表紙体１から離間する方向に突出させて設けていて、開放状態においては綴じ部材３、４を前記係合部３１１と被係合部４１１とが互いに離間する方向に回動させて前記弾性力受部３３、４３をこの収納部２ｈに収納することができる。これら弾性力受部３３、４３は、前記収納部２ｈの上壁に当接する箇所まで回動可能であり、これら弾性力受部３３、４３が前記収納部２ｈの上壁に当接した際に前記係合部３１１と被係合部４１１との離間幅が最大となる。
【００２６】
この綴じ具Ｔを閉塞状態から開放状態に変化させるには、前記第１リング要素３１、３１を互いに相寄る方向に操作力を加えて内向きに撓ませ、前記係合部３１１と前記被係合部４１１との係合を解除させるとよい。すると、前記突片２ｃが前記第２綴じ部材４の弾性力受部４３に上向きの作用を加え、第２綴じ部材４を開放状態側に付勢する。次いで、前記突片２ｃが前記第１綴じ部材３の弾性力受部３３にも上向きの作用を加え、第１綴じ部材３も開放状態側に付勢する。そして、前記突片２ｃは弾性力により前記図６の実線に示す位置から想像線に示す位置に移動する。
【００２７】
逆に、この綴じ具Ｔを開放状態から閉塞状態に変化させるには、前記第１リング要素３１、３１と前記第２リング要素４１、４１と、前記突片２ｃからの弾性力に抗して前記係合部３１１と前記被係合部４１１とが係合するまで相寄る方向に移動させるとよい。このとき、前記突片２ｃは前記図６の実線に示す位置から想像線に示す位置に移動し、弾性力受部３３、４３に弾性力を作用させる。
【００２８】
以上に述べたように、本実施形態では、第１綴じ部材３が、第１リング要素３１、回転軸部３２、及び弾性力受部３３を１本の線状部材により一体に形成したものであるとともに、第２綴じ部材４が、第２リング要素４１、回転軸部４２、及び弾性力受部４３を１本の線状部材により一体に形成したものであり、さらに前記カバー部２の一部に形成した前記突片２ｃと前記弾性力受部３３、４３とが当接して第１綴じ部材３及び第２綴じ部材４を開放状態に向けて付勢している。従って、特許文献１等に記載の構成と異なり、カバー部２と別体に第１リング要素３１又は第２リング要素４１と接続する連結部が必要なく、さらに、このような連結部をカバー部２に取り付ける工程や第１リング要素３１又は第２リング要素４１をこのような連結部に取り付ける工程が省略できる。すなわち、部品点数及び工数を削減し、このような綴じ具Ｔや、このような綴じ具Ｔを利用するファイルＦの製造コストを削減することが可能になる。
【００２９】
また、前記カバー部２の一部である突片２ｃに、弾性付勢手段としての機能を与えているので、第１綴じ部材３及び第２綴じ部材４を付勢するための特別な部材が必要なく、部品点数のさらなる削減を実現できる。さらに、前記突片２ｃは前記カバー部２の長手寸法の一部にのみ形成しているので、閉塞状態から開放状態へ変化させる操作、又はその逆の操作に必要な操作力を特許文献１記載の構成よりも少なくでき、スムーズな操作を実現することができる。
【００３０】
加えて、前記カバー部２の一部である突片２ｃを折り曲げ加工により形成しているので、弾性付勢手段を非常に簡単な加工により形成することができる。さらに、この突片２ｃはカバー部２の上壁２ｇ下方に位置し、紙葉類を綴じる第１及び第２のリング要素３１、４１はカバー部２の上壁２ｇ上方に位置しているので、突片２ｃと紙葉類とが干渉せず、突片２ｃが紙葉類の出し入れの妨げになることがない。
【００３１】
前記第１綴じ部材３及び第２綴じ部材４の回動軸部３２、４２が、前記カバー部２の両側縁部においてそれぞれ支持されているとともに、前記弾性力受部３３、４３が、前記回動軸部３２、４２よりもカバー部２の巾方向中央部寄りに位置し、前記突片２ｃから前記回動軸部３２、４２の中心軸周りに回動する方向への弾性力をそれぞれ受けるので、前記第１綴じ部材３及び第２綴じ部材４が前記弾性力受部３３、４３を介して受ける作用のモーメントを大きくでき、従って前記突片２ｃのバネ係数が小さいものであっても前記第１綴じ部材３及び第２綴じ部材４を効果的に付勢できる。また、前記弾性力受部３３、４３の前記回動軸部３２、４２からの偏倚量を調整して前記第１綴じ部材３及び第２綴じ部材４が前記弾性力受部３３、４３を介して受ける力のモーメントを調整することもできる。
【００３２】
さらに、前記カバー部２の前記弾性力受部３３、４３に対向する位置に、前記開放状態において前記弾性力受部３３、４３を収納可能な収納部２ｈを表紙体から離間する方向に突出させて設けているので、前記弾性力受部３３、４３を前記収納部２ｈに収納させることにより、前記第１リング要素３１及び第２リング要素４１をさらに外側に移動させることができるようになり、従って前記開放状態において開放幅を大きくできる。
【００３３】
前記突片２ｃが前記第１綴じ部材３及び第２綴じ部材４を開放状態に向かう側に付勢し、前記第１リング要素３１の先端部に係合部３１１を設けるとともに、前記第２リング要素の先端部に前記係合部３１１と係合可能な被係合部４１１を設け、これら係合部３１１と被係合部４１１とが係合して前記カバー部２と共に閉塞状態を形成している際に、前記突片２ｃからの作用によりこれら係合部３１１と被係合部４１１とが密着する構成を有するので、前記係合部３１１と被係合部４１１との係合を解除すれば前記前記第１綴じ部材３及び第２綴じ部材４は開放状態に付勢される。従って、前記第１綴じ部材３及び第２綴じ部材４を開放状態に変化させる操作を簡単に行えるようにしつつ、前記第１綴じ部材３及び第２綴じ部材４同士を密着させることができる。
【００３４】
そして、第１綴じ部材３の両端部に第１リング要素３１、３１を設け、第１リング要素３１、３１それぞれの先端部に係合部３１１、３１１を互いに離反させて設けているとともに、第２綴じ部材４の両端部に第２リング要素４１、４１を設け、第２リング要素４１、４１それぞれの先端部に被係合部４１１、４１１を互いに対向させて設けているので、第１リング要素３１、３１を互いに相寄る方向に押圧することにより前記係合部３１１、３１１と前記被係合部４１１、４１１との係合が解除される。すなわち、綴じ具Ｔをこのように構成することにより、前記第１綴じ部材３及び第２綴じ部材４を開放状態に変化させる操作を、第１リング要素３１、３１を相寄る方向に引き寄せるように摘む簡単な操作により行うことができる。
【００３５】
なお、本発明は以上に述べた実施形態に限られない。
【００３６】
例えば、図９の（ａ）に平面図、同図の（ｂ）に底面図を示すように、上述した実施形態における第１及び第２綴じ部材３、４を２対設け、４穴ファイルに対応させる態様の綴じ具Ｔ２が考えられる。
【００３７】
また、図１０に底面図を示すように、カバー部２の一部に、前記第１及び第２綴じ部材３、４を閉塞状態に向けて付勢する弾性付勢手段９を形成してなる綴じ具Ｔ３も考えられる。
【００３８】
さらに、図１１に中央横断面図をそれぞれ示すように、カバー部２の長手寸法の一部に、表紙体から離間する側に突出する正面視山形の板状をなす弾性付勢手段たる板バネ２０を接続し、この板バネ２０に上述した実施形態における弾性力受部３３、４３を当接させ、前記弾性力受部３３、４３に表紙体から離間する側に向かう板バネ２０の弾性力を作用させて開放状態に向け付勢する態様の綴じ具Ｔ４も考えられる。このようなものであっても、綴じ部材に、リング要素、回転軸部、及び弾性力受部の全てを１本の線状部材により一体に形成したものであれば、特許文献１記載の構成における連結部を省略できる効果、及び前記連結部にリング要素を取り付ける作業を省略できる効果は少なくとも得られる。
【００３９】
そして、上述した実施形態における収納部は、弾性付勢手段とカバー部の上壁との間に十分な空間がある場合には必ずしも設けなくともよい。
【００４０】
その他、本発明の趣旨を損ねない範囲で種々に変形してよい。
【図面の簡単な説明】
【００４１】
【図１】本発明の一実施形態に係るファイルを示す斜視図。
【図２】同実施形態に係る綴じ具の閉塞状態を示す斜視図。
【図３】同実施形態に係る綴じ具の閉塞状態を示す底面斜視図。
【図４】同実施形態に係る綴じ具の閉塞状態及び開放状態を示す平面図。
【図５】同実施形態に係る綴じ具の閉塞状態及び開放状態を示す底面図。
【図６】図４における中央横断面図。
【図７】同実施形態に係る綴じ具の開放状態を示す斜視図。
【図８】同実施形態に係る綴じ具の開放状態を示す底面斜視図。
【図９】本発明の他の実施形態に係る綴じ具を示す平面図及び底面図。
【図１０】同実施形態に係る綴じ具の閉塞状態及び開放状態を示す底面図。
【図１１】本発明の他の実施形態に係る綴じ具を示す中央横断面図。
【図１２】従来の綴じ具を示す中央横断面図。
【符号の説明】
【００４２】
Ｆ…ファイル
１…表紙体
Ｔ、Ｔ２、Ｔ３、Ｔ４…綴じ具
２…カバー部
２ｃ…突片（弾性付勢手段）
２ｈ…収納部
２０…板バネ（弾性付勢手段）
３…第１綴じ部材
３１…第１リング要素
３１１…係合部
３２…回動軸部
３３…弾性力受部
４…第２綴じ部材
４１…第２リング要素
４１１…被係合部
４２…回動軸部
４３…弾性力受部
９…弾性付勢手段
【図１】
2005335335.tif 000003
【図２】
2005335335.tif 000004
【図３】
2005335335.tif 000005
【図４】
2005335335.tif 000006
【図５】
2005335335.tif 000007
【図６】
2005335335.tif 000008
【図７】
2005335335.tif 000009
【図８】
2005335335.tif 000010
【図９】
2005335335.tif 000011
【図１０】
2005335335.tif 000012
【図１１】
2005335335.tif 000013
【図１２】
2005335335.tif 000014